(57)【要約】  不正開封表示プラスチッククロージャー、および不正開封防止包装物が開示され、ここでクロージャーは実質的に連続している不正開封リングを有する盗み防止バンドを含む。不正開封リングは、合わせる容器の比較的拡大した環状ロッキングリングとの係合のために、不正開封リングの不正開封表示方向に、一般にクロージャーに角度をつけて上向きかつ内側に延びる。不正開封リングは、複数の周囲方向に間隔を空けた突起を含み、この突起は比較的厚い領域または肩部を含んでなることが好ましく、これは少なくとも１つの肩部と合わせる容器を一般に容器のロッキングリングの下で係合させることにより、容器に対する盗み防止バンドの横移動を制限するように望ましく作用することに注目されたい。【選択図】  図１
2013542894.tif 000002
【特許請求の範囲】
【請求項１】
上壁部分、および該上壁部分から垂れ下がる環状スカート部分を有するクロージャーキャップを含んでなるプラスチッククロージャーであって：
該クロージャーキャップの該スカート部分が、合わせる容器の外側ねじ山形成部にねじ込み係合するための内側ねじ山形成部を有し；
該クロージャーキャップが、該スカート部分から垂れ下がる不正開封を表示する盗み防止バンドをさらに含み、該盗み防止バンドは、該スカート部分から垂れ下がり、そして少なくとも部分的に脱着可能に連結された環状バンド部分、および合わせる容器との係合のために、不正開封表示方向に、環状バンド部分の下端から内側上向きに延びる実質的に連続している不正開封リングを含み；
該不正開封リングが、複数の周囲方向に間隔を空けた、放射状に延びる突起を含み、この突起は該不正開封リングが該不正開封を表示する方向にある時、一般に放射状内側に突出し、該突起は、該盗み防止バンドと該容器の係合を強化するために、該盗み防止バンドの該容器に対する横移動を制限するように作用する、プラスチッククロージャー。
【請求項２】
上記の合わせる容器が、容器の仕上げの放射状外側に延びる一般に連続しているロッキングリングを規定し、該不正開封リングの少なくとも１つの該突起が、該容器に対して該盗み防止バンドの横移動を制限するために、一般に該ロッキングリングの下で該容器と係合可能である、請求項１に記載のプラスチッククロージャー。
【請求項３】
上記の不正開封リングが、該クロージャーの取り外し中に該不正開封リングと該容器との係合を強化するために、該不正開封リングの自由端から延びる複数の周囲方向に間隔を空けたタブを含む、請求項１に記載のプラスチッククロージャー。
【請求項４】
上記の各突起が肩を含んでなり、該複数の間隔を空けたタブがそれぞれ該複数の周囲方向に間隔を空けた肩と直線上に並ぶ、請求項１に記載のプラスチッククロージャー。
【請求項５】
上記の各突起がリブを含んでなり、該複数の間隔を空けたタブが該複数のリブに隣接してそれぞれ配置される、請求項３に記載のプラスチッククロージャー。
【請求項６】
上記の盗み防止バンドを該スカート部分に脱着可能に連結する複数の周囲方向に間隔を空けた脆いブリッジを含み、該各ブリッジは該突起から間隔が空いている請求項１に記載のプラスチッククロージャー。
【請求項７】
外側ねじ山形成部を持つネック部分、および該外側ねじ山形成部の下に配置された環状ロッキングを有する容器、および
上壁部分、および該上壁部分から垂れ下がる環状スカート部分を有するクロージャーキャップを含んでなるプラスチッククロージャー、該クロージャーキャップの該スカート部分は、該容器の外側ねじ山形成部にねじ込み係合するための内側ねじ山形成部を有する、を含んでなる不正開封防止包装物であって：
該クロージャーキャップは、該スカート部分から垂れ下がる不正開封を表示する盗み防止バンドをさらに含み、該盗み防止バンドは、該スカート部分から垂れ下がり、そして少なくとも部分的に脱着可能に連結された環状バンド部分、および該容器のロッキングリングの一般に下に面する表面との係合のために、不正開封表示方向に、環状バンド部分の下端から内側上向きに延びる実質的に連続している不正開封リングを含み；
該不正開封リングは、複数の周囲方向に間隔を空けた、放射状に延びる肩部を含み、この肩部は該不正開封リングが該不正開封を表示する方向にある時、一般に放射状内側に突出し、該肩部は該盗み防止バンドと該容器との係合を、少なくとも１つの該肩部と、一般に該ロッキングリングの下で該容器との係合により強化するために、該盗み防止バンドの
該容器に対する横移動を制限するように作用する、不正開封防止包装物。
【請求項８】
上記の不正開封リングが、該クロージャーを取り外す間に該不正開封リングと該容器との係合を強化するために、該不正開封リングの自由端から延びる複数の周囲方向に間隔を空けたタブを含み、該タブは該容器の該ロッキングリングの一般に外側に面する表面と係合可能である、請求項７に記載の不正開封防止包装物。
【請求項９】
上記の複数の間隔を空けたタブが、該複数の周囲方向に間隔を空けた肩部とそれぞれ直線上に並ぶ、請求項８に記載の不正開封防止包装物。
【請求項１０】
上記の盗み防止バンドを該スカート部分に脱着可能に連結する複数の周囲方向に間隔を空けた脆いブリッジを含み、該ブリッジの数は該突起の数より多く、該各ブリッジは該突起から間隔が空いている、請求項７に記載の不正開封防止包装物。
【発明の詳細な説明】
【技術分野】
【０００１】
関連出願との関係
本出願は、引用により本明細書に編入する２０１０年１０月１５日に出願された特許文献１の優先権を主張する。
【０００２】
技術分野
本出願は一般にポリマー材料から成形されたプラスチッククロージャーに関し、そしてより詳細には不正開封防止（ｔｅｍｐｅｒ−ｅｖｉｄｅｎｔ）プラスチッククロージャーに関し、ここでクロージャーは合わせる容器と強化された協同性を持つように成形されて、改良された性能特性を持つと同時に、望ましい物質軽量化を達成する不正開封防止包装物を提供する。
【背景技術】
【０００３】
発明の背景
ポリマー材料から形成されたプラスチッククロージャーは、市場で広く受け入れられるようになった。炭酸および非炭酸飲料への特定の応用、ならびに他の応用が見出されるこの類のクロージャーは、望まれる密閉性能ならびに望まれる不正開封表示（ｔａｍｐｅｒ−ｉｎｄｉｃａｔｉｎｇ）特性を提供するように形成することができる。この性質のクロージャーは、射出成形または圧縮成形作成技法により効率よく形成できる。
【０００４】
この類のクロージャーの経済的な用途は、各クロージャーを形成するために必要なポリマー材料を低減することにより促進され、すなわち各クロージャーはより軽量になってきている。しかしこれに関しては特定の寸法的および性能が重要になる。特にこの性質のクロージャーは、一般にキャッピングヘッドまたはチャックを含む高速自動化蓋締装置で、それぞれの内側にねじ山を持つクロージャーを回転させながら、外側にねじ山を持つ合わせる容器に嵌め込むことにより合わせる容器に適用される。不正開封を表示するために形成されたクロージャーは、一般にクロージャーのスカート部分から垂れ下がる不正開封を表示する盗み防止バンド（ｐｉｌｆｅｒ  ｂａｎｄ）を含み、この盗み防止バンドは、盗み防止バンドが最初に容器からクロージャーから外される間、スカート部分の残部から一部または完全に分離されるように、合わせる容器と協同して係合するように形成される。
【０００５】
クロージャーの盗み防止バンドは、合わせる容器への高速適用に伴い完全なままであることが重要であるが、しかし、最初のクロージャーの適用に伴うクロージャーの盗み防止バンドと外側ねじ山形成部のような容器部分との係合の妨害は避けられないと想定される。典型的なクロージャーの適用中に、クロージャー／容器のねじ山の相互作用は、クロージャーを容器の仕上げの最上端と接触するクロージャーの密閉形状に向けて引き下げるまで、クロージャーはボトルまたは他の容器に回転により適用される。
【０００６】
クロージャーの不正開封を表示する盗み防止バンドの一つの種類は、一般にクロージャーの内部へ上向きおよび内側に向かって延びる実質的に連続するリングを含む。この性質のクロージャーは、高速適用に伴い幾つかの問題を現す可能性がある。特に、容器の所謂「Ａ直径」を含むリング全体の周りの締め代が多すぎると、比較的大きな環状容器のロッキングリングで、盗み防止バンドリングをクロージャーの中に折りたたまずにクロージャーを適用することは難しい。結局、締め代が不十分ならば盗み防止バンドの不正開封表示機能が、クロージャーを取り外す間に、盗み防止バンドのバンド部分と容器のＡ直径との間でくさび止めになるリングにより損なわれる恐れがある。
【０００７】
本発明は、合わせる容器との係合を強化する不正開封を表示するクロージャーのための盗み防止バンドの改良された形状を企図するものであるが、望ましくはクロージャーに加重をかけすぎることを回避し、そしてさらに望ましくは盗み防止バンドが、閉鎖または適用の間に容器の仕上げ上を動く時、過度の抵抗およびフープ応力が生じることを回避する。
【先行技術文献】
【特許文献】
【０００８】
【特許文献１】米国特許仮出願第６１／３９３，４３８号明細書
【発明の概要】
【０００９】
発明の要約
本発明による不正開封表示プラスチッククロージャー、および不正開封防止包装は、クロージャーキャップのスカート部分から垂れ下がる不正開封を表示する盗み防止バンドを有するクロージャーキャップを含む。この盗み防止バンドには、クロージャーキャップのスカート部分から垂れ下がり、そして少なくとも一部脱着可能に連結された環状バンド部分を含む。実質的に連続している不正開封リングは、盗み防止バンドの環状バンド部分の下端から内側かつ上向きに、不正開封リングの不正開封表示方向に延びている。この方向では、不正開封リングは、合わせる容器の環状ロッキングリングの一般に下に面する表面と係合するように形成される。
【００１０】
本発明に従い、不正開封リングは、盗み防止バンドがその不正開封を表示する方向にある時、一般に放射状内側に突出する複数の周囲方向に間隔を空けた放射状に延びる突起を含む。この突起は、少なくとも１つの突起と、一般に容器のロッキングリングの下での容器との係合により盗み防止バンドと容器との係合を望ましく強化するために、それぞれの容器で盗み防止バンドの横方向移動を制限するように作用することに注目されたい。
【００１１】
具体的に説明する態様に従い、本プラスチッククロージャーは、上部の壁部分および上部の壁部分から垂れ下がる環状ストリップ部分を有するクロージャーキャップを含む。このスカート部分は、合わせる容器の外側のねじ山形成部とねじ込み係合するように形成された内側のねじ山形成部を含む。
【００１２】
記載のように、このクロージャーキャップは、クロージャーキャップのスカート部分から垂れ下がる不正開封を表示する盗み防止バンドを含む。複数の脆いリブまたはブリッジの形態のような脆い連結が、少なくとも部分的に脱着可能に盗み防止バンドをクロージャーキャップのスカート部分に連結する。このクロージャーの盗み防止バンドは、盗み防止バンドの環状バンド部分の下端から、内側および上向きに延びる一般に円錐台形の実質的に連続した不正開封リングを含む。この不正開封表示方向では、不正開封リングは、合わせる容器のロッキングリングの一般に下向きに面する表面との係合から配置される。
【００１３】
記載のように不正開封防止は、不正開封リングがその不正を表示する方向にある時、不正開封リングに、一般に放射状内側に突出する複数の周囲方向に間隔を空けた、放射状に延びる突起を提供することにより強化される。不正開封リングの少なくとも１つの突起は、容器に対して盗み防止バンドの横移動を制限するために、一般に容器のロッキングリングの下で容器と係合可能であることに注目されたい。この突起と容器の仕上げとの協同、および付随する容器の仕上げに対する盗み防止バンドの横移動の制限により、ロッキングリングの下で容器の仕上げと係合する１もしくは複数の突起に向かい合う盗み防止バンドの部分は、ロッキングリングの一般に下向きに面する表面と望ましい協同的係合で維持され、これにより望ましい不正開封表示機能が確実に作動する。
【００１４】
具体的に説明する態様に従い、盗み防止バンドの不正開封リングは、クロージャーを取り外す間に不正開封リングと容器との係合を強化するため、不正開封リングの自由端から延びる複数の周囲方向に間隔を空けたタブを含む。１つの具体的に説明する態様に従えば、不正開封リング上の突起は、不正開封リング上に比較的厚い斜面状の肩部の状態で提供される。この説明する態様では、複数の間隔を空けたタブは、それぞれ複数の周囲方向に間隔を空けた肩部と直線上に並ぶ。このタブは、クロージャーが容器に完全に適用された時、一般に容器のロッキングリングとクロージャーの盗み防止バンドのバンド部分との間に配置することが可能であり、これによりクロージャーが取り外される間、クロージャーの盗み防止バンドと容器との間の不正開封を表示する協同がさらに望ましく強化される。別の態様では、不正開封リングの突起は、放射状に向けられた直立リブの状態で提供される。この態様では、不正開封リングの複数の間隔を空けたタブが、複数の放射状に向けられたリブに隣接してそれぞれ配置される。
【００１５】
本発明の好適な形態では、複数の間隔を空けた脆いブリッジが、クロージャーの盗み防止バンドをクロージャーキャップのスカート部分に脱着可能に連結する。特に、脆いブリッジの数は、不正開封リングの突起の数とは異なり、一般にはそれより多く、各ブリッジは突起と直線上に並ばず、そして突起から間隔が開けられていることが好ましい。これにより不正開封リングの突起が容器のロッキングリングで容器のＡ直径を通る時、クロージャーの適用中に過剰な応力が脆いブリッジにかかることを回避するように望ましく作用する。
【００１６】
本発明の他の特徴および利点は、以下の詳細な説明、添付図面および添付する特許請求の範囲から容易に明白になるだろう。
【図面の簡単な説明】
【００１７】
【図１】本発明の原理を具現する不正開封防止クロージャーの透視図であり、盗み防止バンドの不正開封リングがその不正開封表示方向に反転する前の一般に「成形された時」の方向で、クロージャーの盗み防止バンドを具体的に説明する。
【図２】図１に示すクロージャーの盗み防止バンドの比較的拡大された、断片的透視図であり、盗み防止バンドがその「成形された時」の方向である時、盗み防止バンドの外面を示す。
【図３】図１の盗み防止バンドの拡大された、断片的透視図であり、図１のその「成形された時」の方向である盗み防止バンドの内面を示す。
【図４】本発明の原理を具現する不正開封防止包装物を具体的に説明する概略図であり、クロージャーの不正開封表示特性を強化するために、本不正開封防止クロージャーと合わせる容器の協同を示す。
【図５】図２と同様の図であり、本発明の別の態様を具体的に説明する。
【００１８】
詳細な説明
本発明は様々な形態の態様が可能であり、現在好適な態様を図面で示し、そしてこれから記載するが、本開示は本発明の例示と考えられ、本明細書に開示する特定の態様に本発明を限定しないことを意図する。
【００１９】
図面を参照にして、本発明の原理を具現する不正開封表示プラスチッククロージャー１０を具体的に説明する。クロージャー１０は、当該技術分野で知られている射出または圧縮成形法により、ポリペルペルレン（ｐｏｌｙｐｅｒｐｅｒｌｅｎｅ）、ポリエチレン等のような適切なポリマー材料から効率的に形成することができる。
【００２０】
クロージャー１０は、上壁部分１４、および内側ねじ山形成部１８を有する環状の垂れ下がったスカート部分１６を有する一体のクロージャーキャップ１２を含む。内側ねじ山形成部１８は、合わせる容器Ｃのネック部分に提供される外側ねじ山形成部２０とねじ込み係合するように形成されている。図４で概略して示す説明する容器Ｃは、比較的大きい環状のロッキングリング２２を含み、これと不正開封防止クロージャー１０が協同して本発明の原理を具現する不正開封防止包装を提供する。
【００２１】
具体的に説明する態様では、クロージャー１０が所謂ライナーレスクロージャーとして示され、このクロージャーでは、クロージャーキャップ１２の上壁部分１４の内側に配置される別の封止ライナーを含んでいない。むしろ具体的に説明する態様では、クロージャーキャップ１２は、合わせる容器Ｃの口の中に一般に配置可能な環状のプラグシール要素２４、および容器のネック部分の一般に外側に面する表面と係合可能な環状の外側シール２６を含む。このクロージャー１０の封止特性の特別な形態は、クロージャーおよび容器包装物の不正開封表示性能の強化に関連して、本明細書に開示する原理を維持しながら変更できると考えられる。
【００２２】
クロージャー／容器包装物の不正開封の表示は、クロージャーキャップ１２のスカート部分１６に少なくとも部分的に脱着可能に連結された環状の盗み防止バンド３０により提供される。盗み防止バンド３０のスカート部分１６への脱着可能な連結は、盗み防止バンドとスカート部分との間に延びる複数の周囲方向に間隔を空けた脆いブリッジまたはリブ３１を提供することにより達成できる。脆い連結は、クロージャーキャップ１２を盗み防止バンド３０と一体で成形し、その後、盗み防止バンドとスカート部分との間に所望する脆い連結を提供するために、脆いブリッジ３１が残るようにクロージャーを切断または刻み目を入れることにより効率的に形成される。このクロージャー１０は一般に３２で周囲方向に切断または刻み目が入れられ、これにより盗み防止バンド３０はスカート部分１６と区別され、この脆いブリッジ３１が盗み防止バンドとスカート部分との間に望ましい脆い連結を提供する。
【００２３】
本発明に従い、クロージャー１０の盗み防止バンド３０は、クロージャーキャップのスカート部分１６と一般に直線上に並んだ環状部分３４を含む。盗み防止バンド３０は、盗み防止バンド３０の環状バント部分３４から延び、そして一体で形成された実質的に連続している一般に円錐台形の不正開封リング３６をさらに含む。図１では不正開封リング３６は一般に、その「成形された時」の方向で説明され、ここで不正開封リング３６は一般に盗み防止バンド３０の環状バンド部分３４から下向きに角張って延びている。クロージャー１０を合わせる容器Ｃに適用する前に、適切な道具を使用して不正開封リング３４を不正開封表示方向である内側に向け、ここで不正開封リング３６は、合わせる容器Ｃのロッキングリング２２との協同的な不正開封を表示する係合のために、一般に環状バンド部分３４の下部の縁の内側上向きに延びる。不正開封リング３６は図４でこの不正開封表示方向で概略的に説明する。
【００２４】
想定されるように、不正開封リング３６と容器のロッキングリング２２との不正開封を表示する協同で、１もしくは複数の脆いブリッジ３１の破壊により、合わせる容器Ｃからクロージャー１０の最初の取り外し中に、スカート部分１６から盗み防止バンド３０を一部または完全に分離することにより、所望の不正開封防止機能を提供する。特に内側の、不正開封リング３６の自由端は、クロージャーの取り外し伴い容器のロッキングリング２２の一般に下方に面する表面と協同的に係合するように形成され、これにより容器に対してクロージャーを外す動きは、それらの間に提供される脆い連結の割れおよび破壊により、少なくとも部分的に盗み防止バンドをスカート部分から脱着可能に連結するように作用
する。
【００２５】
当業者には想定されるように、不正開封リング３６は、容器のロッキングリング２２の一般に下方に面する表面との予測可能な、しかも信頼性のある係合のために形成されることが望ましい。結局、上方向の内側に延びる不正開封表示方向に配置される不正開封リング３６は、盗み防止バンドとクロージャーキャップのスカート部分１６との間の脆い連結の不十分な割れ、または破損なしに、クロージャーを容器に高速適用している間、外側ねじ山形成部２０およびロッキングリング２２を含む容器の仕上げの形状を通過しなければならないと考える。これらの幾分矛盾する設計基準を、クロージャーおよび容器の標準製造公差と一緒に考慮する場合、盗み防止バンド３０がクロージャーの仕上げに対して限定された横移動を現すように促されるか、または強制されるように、クロージャーの盗み防止バンド３０と容器のネックの仕上げとの間に十分な隙間を設けることができる場合がある。そのような横移動は、不正開封リング３６の部分が一般に容器から離れた位置に移動し、その結果、不正開封リングの自由端がクロージャーのロッキングリング２２と正しく係合しないような望ましくない結果をもたらす可能性がある。
【００２６】
そのような横移動を制限すると同時に、望ましくは不正開封リング３６の実質的な肥厚化またはそうではなく強化（これには材料の増加が必要となり、そしてクロージャーの適用を阻害する）を避けるために、不正開封リング３６には複数の周囲方向に間隔を空けた、比較的厚い肩部のような突起３８が提供され、これは図４に示すようにその不正開封表示の方向にある時、一般に不正開封リング３６の内側に延びている。特に、突起３８は不正開封リング３６の表面に滑らかに融合するように斜面のような形状を有することができ、不正開封リングが不正開封を表示する方向にある時、一般に放射状内側に延びる。この配置により、少なくとも１つの突起３８が、一般にロッキングリング２２の下で容器Ｃと係合するように配置され、これにより容器の仕上げに対する盗み防止バンド３０の横移動を制限する。この作用を図４で具体的に説明し、ここでは一般にクロージャー１０の右手方向への移動で、説明する突起３８が一般にロッキングリング２２の下で容器Ｃと係合するように促され、これによりロッキングリング２２の下で容器との係合が促される１もしくは複数の突起に向かい合う盗み防止バンドの部分で、ロッキングリング２２からの不正開封リング３６の係合の脱れるのを実質的に防ぐ。
【００２７】
２８ｍｍ直径のクロージャーの本態様では、不正開封リング３６には、突起３８が５個の等しく間隔を空けたものとして提供され、ここで各突起３８は約０．０２２インチであり、すなわち不正開封リング３６の総量は各突起３８で厚くなる。好適な面取りをした滑らかな形状の各突起３８は、クロージャーの適用中にこの突起の容器の仕上げ形状に対するどのような望ましくない妨害も回避する。現在好適な態様では、脆いブリッジ３１の数は、不正開封を表示する突起３８の数とは異なり、一般にはそれより多く、各ブリッジは直線上に並ばず、そして突起３８とは間隔が空いている。これはクロージャーの適用中にいかなる脆いブリッジにも過剰な応力がかかることを回避するように望ましく作用する。上記の態様は５個の突起３８を有し、クロージャーは３２で刻み目が入れられて、７個の脆いブリッジ３１が突起３８と直線上に並ばずに間隔を空けて提供される。
【００２８】
説明する態様に従い、不正開封リング３６は複数の周囲方向に間隔を空けたタブ４０を含み、これはクロージャーが完全に容器に提供された時、一般に環状バンド部分３４と容器のロッキングリング３２との間に配置可能である（図４参照）。タブ４０は不正開封リング３６とロッキングリング２２との協同的係合を強化することが望ましい。説明の態様では、周囲方向に間隔を空けたタブ４０は不正開封リング３６の自由端から延び、そして好ましくは複数の周囲方向に間隔を空けた肩部のような突起３８とそれぞれ直線上に並ぶ。
【００２９】
本発明の別の態様を図５で説明し、ここで不正開封リング３６上で放射状に延びる突起が周囲方向に間隔を空けたリブ状の突起１３８の形態で提供される。突起１３８は、前述した突起３８のように機能するように形成されて、容器のロッキングリング２２に対する盗み防止バンド３０の横移動を制限するように形成される。説明のように突起１３８はタブ４０に隣接してそれぞれ配置することができる。
【００３０】
これまでの記載から、多くの修飾および変更が本発明の新規概念の真の精神および範囲から逸脱せずに行うことができると考察される。本明細書で具体的に説明した特別な態様に関しては、限定されないことを意図し、あるいはそのように考えるべきである。本開示は添付する請求の範囲により網羅されることを意図するものであり、すべてのそのような修飾は請求の範囲に含まれる。
【図１】
2013542894.tif 000003
【図２】
2013542894.tif 000004
【図３】
2013542894.tif 000005
【図４】
2013542894.tif 000006
【図５】
2013542894.tif 000007
【国際調査報告】
2013542894.tif 000008